(57)【要約】【課題】従来は訪問先の日時と場所を改ざんされず、また訪問者のプライバシーを侵害せずに訪問先と訪問日時を証明される安価なシステムが存在しなかった。【解決手段】訪問先、訪問日時を管理する訪問業務管理システムにおいて、訪問先に設置する訪問先ごとに異なる訪問先情報を記録した記録媒体、携帯電話に接続可能な記録媒体読み取り装置、メールが可能な携帯電話、メール通信環境、メールが可能な情報端末から構成され、携帯電話に接続可能な記録媒体読み取り装置で読み取った訪問先情報を携帯電話からメールで送信し、情報端末でそのメールを受信し、受信メールから訪問者と訪問先情報とメール時刻と訪問日時とを取り出し、それらのデータを蓄積し、訪問者と訪問先情報と訪問日時とを表示します。【選択図】  図１
2006309675.tif 000002
【特許請求の範囲】
【請求項１】
訪問先、訪問日時を管理する訪問業務管理システムにおいて、訪問先に設置する訪問先ごとに異なる訪問先情報を記録した記録媒体、携帯電話に接続可能な記録媒体読み取り装置、メールが可能な携帯電話、メール通信環境、メールが可能な情報端末から構成され、携帯電話に接続可能な記録媒体読み取り装置で読み取った訪問先情報を携帯電話からメールで送信し、情報端末でそのメールを受信し、受信メールから訪問者と訪問先情報とメール時刻と訪問日時とを取り出し、それらのデータを蓄積し、訪問者と訪問先情報と訪問日時とを表示することを特徴とするシステム。
【請求項２】
請求項１の記録媒体をＩＣタグとし、記録媒体読み取り装置をＩＣタグリーダとし、ＩＣタグリーダで読み取った訪問先情報を携帯電話からメールで送信し、情報端末でそのメールを受信し、受信メールから訪問者と訪問先情報とメール時刻から訪問日時とを取り出し、それらのデータを蓄積し、訪問者と訪問先情報と訪問日時とを表示することを特徴とするシステム。
【請求項３】
請求項２の携帯電話をＧＰＳ機能付き携帯電話とし、ＩＣタグリーダで読み取った訪問先情報とＧＰＳの位置情報を携帯電話からメールで送信し、情報端末でそのメールを受信し、受信メールから訪問者と訪問先情報（ＩＣタグ情報）と訪問先ＧＰＳ情報と訪問日時を取り出し、それらのデータを蓄積し、訪問者と訪問先情報と訪問先ＧＰＳ情報と訪問日時とを表示することを特徴とするシステム。
【請求項４】
請求項１の記録媒体をバーコードにとし、記録媒体読み取り装置をバーコードリーダとし、バーコードリーダで読み取った訪問先情報を携帯電話からメールで送信し、情報端末でメールを受信し、受信メールから訪問者と訪問先情報（バーコード情報）と訪問日時を取り出し、それらのデータを蓄積し、訪問者と訪問先情報（バーコード情報）と訪問日時とを表示することを特徴とするシステム。
【請求項５】
請求項４の携帯電話をＧＰＳ機能付き携帯電話とし、バーコードリーダで読み取った訪問先情報とＧＰＳの位置情報を携帯電話からメールで送信し、情報端末でそのメールを受信し、受信メールから訪問者と訪問先情報（バーコード情報）と訪問先ＧＰＳ情報と訪問日時とを取り出し、それらのデータを蓄積し、訪問者と訪問先情報（バーコード情報）と訪問先ＧＰＳ情報と訪問日時とを表示することを特徴とするシステム。
【請求項６】
請求項１の記録媒体を二次元コードにとし、記録媒体読み取り装置を二次元コードリーダとし、二次元コードリーダで読み取った訪問先情報を携帯電話からメールで送信し、情報端末でそのメールを受信し、受信メールから訪問者と訪問先情報（二次元コード情報）と訪問日時とを取り出し、それらのデータを蓄積し、訪問者と訪問先情報（バーコード情報）と訪問日時とを表示することを特徴とするシステム。
【請求項７】
請求項６の携帯電話をＧＰＳ機能付き携帯電話とし、二次元コードリーダで読み取った訪問先情報とＧＰＳの位置情報を携帯電話からメールで送信し、情報端末でそのメールを受信し、受信メールから訪問者と訪問先情報（二次元コード情報）と訪問先ＧＰＳ情報と訪問日時とを取り出し、それらのデータを蓄積し、訪問者と訪問先情報（バーコード情報）と訪問先ＧＰＳ情報と訪問日時とを表示することを特徴とするシステム。
【請求項８】
請求項１のメールが可能な携帯電話、メール通信環境、メールが可能な情報端末を携帯電話インターネットが可能な携帯電話、インタ−ネット環境、ＷＥＢサーバ、インターネットが可能な情報端末とし、携帯電話に接続可能な記録媒体読み取り装置で読み取った訪問先情報を携帯電話から携帯電話インターネットで送信し、ＷＥＢサーバで蓄積し、情報端末でＷＥＢサーバから訪問者と訪問先情報とメール時刻と訪問日時とを取り出し、それらのデータを蓄積し、訪問者と訪問先情報と訪問日時とを表示することを特徴とするシステム。
【請求項９】
請求項８の記録媒体をＩＣタグとし、記録媒体読み取り装置をＩＣタグリーダとし、ＩＣタグリーダで読み取った訪問先情報を携帯電話インターネットで送信し、ＷＥＢサーバで蓄積し、情報端末でＷＥＢサーバから訪問者と訪問先情報と保存時刻とを取り出し、訪問者と訪問先情報と訪問日時とを表示することを特徴とするシステム。
【請求項１０】
請求項９の携帯電話をＧＰＳ機能付き携帯電話とし、ＩＣタグリーダで読み取った訪問先情報とＧＰＳの位置情報を携帯電話インターネットで送信し、ＷＥＢサーバで蓄積し、情報端末でＷＥＢサーバから訪問者と訪問先情報（ＩＣタグ情報）と訪問先ＧＰＳ情報と訪問日時を取り出し、訪問者と訪問先情報と訪問先ＧＰＳ情報と訪問日時とを表示することを特徴とするシステム。
【請求項１１】
請求項８の記録媒体をバーコードにとし、記録媒体読み取り装置をバーコードリーダとし、バーコードリーダで読み取った訪問先情報を携帯電話インターネットで送信し、ＷＥＢサーバで蓄積し、情報端末でＷＥＢサーバから訪問者と訪問先情報（バーコード情報）と訪問日時を取り出し、訪問者と訪問先情報（バーコード情報）と訪問日時とを表示することを特徴とするシステム。
【請求項１２】
請求項１１の携帯電話をＧＰＳ機能付き携帯電話とし、バーコードリーダで読み取った訪問先情報とＧＰＳの位置情報を携帯電話インターネットで送信し、ＷＥＢサーバで蓄積し、情報端末でＷＥＢサーバから訪問者と訪問先情報（バーコード情報）と訪問先ＧＰＳ情報と訪問日時とを取り出し、訪問者と訪問先情報（バーコード情報）と訪問先ＧＰＳ情報と訪問日時とを表示することを特徴とするシステム。
【請求項１３】
請求項８の記録媒体を二次元コードにとし、記録媒体読み取り装置を二次元コードリーダとし、二次元コードリーダで読み取った訪問先情報を携帯電話インターネットで送信し、ＷＥＢサーバで蓄積し、情報端末でＷＥＢサーバから訪問者と訪問先情報（二次元コード情報）と訪問日時とを取り出し、それらのデータを蓄積し、訪問者と訪問先情報（バーコード情報）と訪問日時とを表示することを特徴とするシステム。
【請求項１４】
請求項１３の携帯電話をＧＰＳ機能付き携帯電話とし、二次元コードリーダで読み取った訪問先情報とＧＰＳの位置情報を携帯電話インターネットで送信し、ＷＥＢサーバで蓄積し、情報端末でＷＥＢサーバから訪問者と訪問先情報（二次元コード情報）と訪問先ＧＰＳ情報と訪問日時とを取り出し、訪問者と訪問先情報（バーコード情報）と訪問先ＧＰＳ情報と訪問日時とを表示することを特徴とするシステム。
【発明の詳細な説明】
【技術分野】
【０００１】本発明は、記録媒体、携帯電話、メール、情報端末から構成されるコンピュータシステムに関する。
【背景技術】
【０００２】従来の技術を利用したシステムではＧＰＳによる２４時間位置情報確認システムがある。しかしながら、この方法ではシステムが複雑になり訪問者が知られたくない位置情報まで把握できるプライバシー侵害の恐れもある。
【発明の開示】
【発明が解決しようとする課題】
【０００３】従来は訪問先の日時と場所を改ざんされず、また訪問者のプライバシーを侵害せずに訪問先と訪問日時を証明される安価なシステムが存在しなかった。【０００４】本発明は、このような点に鑑みて考案されたものであり、その目的は、訪問者が能動的に改ざんできない情報をメールで送ることにより訪問者のプライバシー保護と訪問日時証明と訪問場所証明とを安価でかつ容易に運用できるようにすることにある。
【課題を解決するための手段】
【０００５】訪問先はＩＣタグ情報で証明し、訪問日時はメールの送信時刻で訪問先と訪問日時を証明する。【０００６】訪問先はバーコード情報で証明し、訪問日時はメールの送信時刻で訪問先と訪問日時を証明する。【０００７】訪問先は二次元コード情報で証明し、訪問日時はメールの送信時刻で訪問先と訪問日時を証明する。【０００８】訪問先はＩＣタグ情報とＧＰＳ情報の組合せで証明し、訪問日時はメールの送信時刻で訪問先と訪問日時を証明する。【０００９】訪問先はバーコード情報とＧＰＳ情報の組合せで証明し、訪問日時はメールの送信時刻で訪問先と訪問日時を証明する。【００１０】訪問先は二次元コード情報とＧＰＳ情報の組合せで証明し、訪問日時はメールの送信時刻で訪問先と訪問日時を証明する。
【発明の効果】
【００１１】訪問先と訪問日時を証明することは２４時間ＧＰＳにより追跡することも可能だが、証明したい日時と場所とそうでない場合の区別がつかず不要な情報及び訪問者が関与されたくない日時と場所の情報まで含まれる問題がある。【００１２】本発明では訪問者が訪問日時と場所を証明したい場合に訪問者の意思によって能動的に証明が可能なシステムであり、ＧＰＳによる２４時間監視システムに比べ訪問者の人権とプライバシーと個人情報とを守る効果がある。【００１３】訪問者の操作方法も簡単であり、メールによる通信なので通信コストも安く、データを管理する情報端末側もシステム構築が容易なためシステム価格も安くなる効果がある。【００１４】ＩＣタグを利用した場合にはバーコードや二次元コードのように容易にコピーされるという改ざんを防止できる。ＩＣタグとＧＰＳを組み合わせた場合にはＧＰＳ情報は改ざん不可能と言えるのでほぼ改ざん不可能な訪問日時と訪問場所が証明可能なシステムとなる。
【発明を実施するための最良の形態】
【００１５】以下、本発明の実施方法を図面に基づき詳細に説明する。【００１６】図１は本発明の構成要素と構成要素の関係を説明しています。【００１７】訪問先には訪問先ごとに異なる情報（訪問先ＩＤ）を記録した記録媒体（ＩＣタグを内蔵したカード）を設置します。【００１８】訪問者はＧＰＳ携帯電話と携帯電話に接続可能な記録媒体読み取り装置（ＩＣタグリーダ）を所持して訪問します。【００１９】訪問者は訪問先で訪問者宅の記録媒体（ＩＣタグを内蔵したカード）を記録媒体読み取り装置（ＩＣタグリーダ）で読み取ります。【００２０】訪問者は訪問先でＧＰＳ情報を取得します。【００２１】携帯電話に内蔵されたソフトウエアで記録媒体情報（ＩＣタグ情報）とＧＰＳ情報を携帯メールで送信します。【００２２】情報端末でメールを受信します。【００２３】受信したメールから記録媒体情報（ＩＣタグ情報）とＧＰＳ情報を専用ソフトで取り出し、情報端末に保存します。【００２４】ＩＣタグ情報と情報端末に保存されている訪問先ＩＤ、氏名、住所を照合します。【００２５】ＧＰＳ情報と情報端末に保存されているＧＰＳ情報を照合します。【００２６】照合結果を保存します。【００２７】情報端末で訪問者ごとに訪問先と訪問日時と訪問場所とを表示するソフトウエアで一覧表示、詳細表示ができるようにします。【００２８】情報端末で訪問先ごとに訪問者と訪問日時と訪問場所とを表示するソフトウエアで一覧表示、詳細表示ができるようにします。
【実施例】
【００２９】本発明による訪問日時と訪問先のデータを介護保険の訪問介護、訪問看護等の訪問業務請求実績と照合することにより請求ミス、不正請求を防ぐシステムが実施可能となります。
【産業上の利用可能性】
【００３０】不正請求が社会的問題となっている介護保険の訪問介護、訪問看護、訪問入浴等の訪問日時と場所を改ざん不可能と言えるシステムによって証明する用途に利用の可能性がある。
【図面の簡単な説明】
【図１】本システムの全体図である。１００は訪問先情報を記録した記録媒体、２００は携帯電話に接続可能な記録媒体読み取り装置、３００はメールが可能な携帯電話、４００はインターネット、５００はメールサーバ、６００は情報端末である。
【図２】本システムの実施例である。１００は訪問先情報を記録したＩＣタグ、２００は携帯電話に接続可能なＩＣタグリーダ、３００はメールが可能なＧＰＳ携帯電話、４００はインターネット、５００はメールサーバ、６００は情報端末である。
【図３】本システムの実施例である。１００は訪問先情報を記録したＩＣタグ、２００は携帯電話に接続可能なＩＣタグリーダ、３００はメールが可能なＧＰＳ携帯電話、４００はインターネット、５００はＷＥＢサーバ、６００は情報端末である。
【図１】
2006309675.tif 000003
【図２】
2006309675.tif 000004
【図３】
2006309675.tif 000005